(57)【特許請求の範囲】
【請求項１】
外部装置と接続可能であり、少なくとも画像に関する第１の機能と第２の機能を実行可能な画像処理装置であって、
前記外部装置が表示した前記画像処理装置を制御するための表示画面に対するユーザの操作に応じて、前記外部装置から、前記画像処理装置による前記第１の機能または前記第２の機能を選択する選択指示、及び前記第１の機能または前記第２の機能の実行指示を受信する受信手段と、
前記画像処理装置に設けられ、ユーザが前記画像処理装置に対して処理の実行を指示するための指示手段と、
前記第１の機能または前記第２の機能を実行する実行手段と、
を備え、
前記実行手段は、
前記受信手段により前記選択指示が受信されておらず、且つ前記指示手段に対する指示があった場合、前記第２の機能を実行せず且つ前記第１の機能を実行し、
前記受信手段により前記選択指示が受信された場合、さらに、前記指示手段に対する指示があった場合と前記受信手段により前記実行指示が受信された場合のいずれであっても、前記選択指示により選択された機能を実行し、
前記表示画面の表示が終了し、さらに前記指示手段に対する指示があった場合、前記第２の機能を実行せず且つ前記第１の機能を実行する
ことを特徴とする画像処理装置。
【請求項２】
前記指示手段に割当てる機能を設定する設定手段を有し、
前記設定手段は、
前記受信手段により前記選択指示が受信されていない場合、前記第２の機能を設定せず且つ前記第１の機能を設定し、
前記受信手段により前記選択指示が受信された場合、前記選択指示により選択された機能を設定し、
前記表示画面の表示が終了した場合、前記第２の機能を設定せず且つ前記第１の機能を設定し、
前記実行手段は、前記指示手段に対する指示があった場合に、前記設定手段により設定されている機能を実行する
ことを特徴とする請求項１に記載の画像処理装置。
【請求項３】
前記画像処理装置において前記実行手段による前記第２の機能に従った処理がキャンセルされた後に、前記設定手段は第１の機能を前記指示手段に割当てる機能として設定することを特徴とする請求項２に記載の画像処理装置。
【請求項４】
前記受信手段により前記第２の機能を選択する選択指示が受信された場合に、前記受信手段により前記第２の機能の前記実行指示が受信された場合に前記第２の機能が実行されることを通知する通知手段をさらに備えることを特徴とする請求項１〜３のいずれか１項に記載の画像処理装置。
【請求項５】
前記画像処理装置は、当該画像処理装置が実行する処理を操作するためのＷｅｂページを、前記表示画面として前記外部装置に送信するＷｅｂサーバをさらに備え、
前記Ｗｅｂサーバは、前記受信手段として、前記外部装置からＷｅｂページを介して前記選択指示及び前記実行指示を受信することを特徴とする請求項１〜４のいずれか１項に記載の画像処理装置。
【請求項６】
前記画像処理装置は、前記外部装置からの要求に応じて前記Ｗｅｂページを前記外部装置に送信することを特徴とする請求項５に記載の画像処理装置。
【請求項７】
前記Ｗｅｂページは、前記画像処理装置による機能を選択するための第１の表示画面と、前記第１の表示画面において前記第２の機能が選択された場合に表示される第２の表示画面を含み、
前記外部装置において前記第２の表示画面が表示されている場合は、前記指示手段に対する指示があった場合と前記受信手段により前記実行指示が受信された場合のいずれであっても、前記実行手段は前記第２の機能を実行することを特徴とする請求項５または６に記載の画像処理装置。
【請求項８】
前記実行手段は、前記画像処理装置の電源がオンになってから前記受信手段により前記選択指示が受信されるまでに前記指示手段に対する指示があった場合、前記第２の機能を実行せず且つ前記第１の機能を実行することを特徴とする請求項１〜７のいずれか１項に記載の画像処理装置。
【請求項９】
原稿を読み取る読取手段をさらに備え、
前記第１の機能と前記第２の機能はいずれも、前記読取手段により原稿を読み取る処理を含むことを特徴とする請求項１〜８のいずれか１項に記載の画像処理装置。
【請求項１０】
外部装置と、前記外部装置と接続可能であり且つ少なくとも第１の機能と第２の機能を実行可能な画像処理装置とを含む画像処理システムであって、
前記外部装置は、
前記画像処理装置を制御するための表示画面を表示する表示手段と、
前記表示手段により表示された表示画面に対するユーザの操作に応じて、前記画像処理装置による前記第１の機能または前記第２の機能を選択する選択指示、及び前記第１の機能または前記第２の機能の実行指示を行う第１の指示手段と、
を備え、
前記画像処理装置は、
前記第１の指示手段による前記選択指示及び前記実行指示を受信する受信手段と、
前記画像処理装置に設けられ、ユーザが前記画像処理装置に対して処理の実行を指示するための第２の指示手段と、
前記第１の機能または前記第２の機能を実行する実行手段と、
を備え、
前記実行手段は、
前記受信手段により前記選択指示が受信されておらず、且つ前記第２の指示手段に対する指示があった場合、前記第２の機能を実行せず且つ前記第１の機能を実行し、
前記受信手段により前記選択指示が受信された場合、さらに、前記第２の指示手段に対する指示があった場合と前記受信手段により前記実行指示が受信された場合のいずれであっても、前記選択指示により選択された機能を実行し、
前記表示画面の表示が終了し、さらに前記第２の指示手段に対する指示があった場合、前記第２の機能を実行せず且つ前記第１の機能を実行する
ことを特徴とする画像処理システム。
【請求項１１】
外部装置と、前記外部装置と接続可能であり且つ少なくとも第１の機能と第２の機能を実行可能な画像処理装置とを含む画像処理システムにおける制御方法であって、
前記外部装置が、
前記画像処理装置を制御するための表示画面を表示する表示工程と、
前記表示工程において表示された表示画面に対するユーザの操作に応じて、前記画像処理装置による前記第１の機能または前記第２の機能を選択する選択指示、及び前記第１の機能または前記第２の機能の実行指示を行う指示工程と、
を実行し、
前記画像処理装置が、
前記指示工程における前記選択指示及び前記実行指示を受信する受信工程と、
前記第１の機能または前記第２の機能を実行する実行工程と、
を実行し、
前記実行工程では、
前記受信工程において前記選択指示が受信されておらず、且つ前記画像処理装置に設けられ、ユーザが前記画像処理装置に対して処理の実行を指示するための指示手段に対する指示があった場合、前記第２の機能を実行せず且つ前記第１の機能を実行し、
前記受信工程において前記選択指示が受信された場合、さらに、前記指示手段に対する指示があった場合と前記受信工程において前記実行指示が受信された場合のいずれであっても、前記選択指示により選択された機能を実行し、
前記表示画面の表示が終了し、さらに前記指示手段に対する指示があった場合、前記第２の機能を実行せず且つ前記第１の機能を実行する
ことを特徴とする制御方法。
【請求項１２】
請求項１〜９のいずれか１項に記載の画像処理装置の各手段としてコンピュータを機能させるためのプログラム。
【発明の詳細な説明】
【技術分野】
【０００１】
本発明は、外部装置と接続可能な画像処理装置、画像処理方法及びプログラムに関する。
【背景技術】
【０００２】
パーソナルコンピュータ（ＰＣ）、サーバ等の外部装置に接続可能な画像処理装置において、画像処理装置の操作及び外部装置からの操作によって装置間でデータの送受信を行うことで、処理を実行するものが知られている。例えば、Ｗｅｂブラウザを備える外部装置が、Ｗｅｂサーバを備える画像形成装置から操作画面を取得し、操作画面データを表示して画像形成装置を操作する情報処理方法が提案されている（特許文献１参照）。特許文献１の情報処理方法では、ユーザは手持ちのＷｅｂブラウザ搭載端末装置及び画像形成装置から、画像形成装置の操作を行うことができる。
【先行技術文献】
【特許文献】
【０００３】
【特許文献１】特開２００６−０８６６４２号公報
【発明の概要】
【発明が解決しようとする課題】
【０００４】
しかしながら、特許文献１では、外部装置から操作する場合、外部装置のみを使って操作するため操作性が悪く、不便であった。例えば、スキャン機能を備える画像処理装置においてスキャンを実行する場合、ユーザが外部装置により機能の選択や設定を行った後、画像処理装置に原稿をセットし、再び外部装置からスキャンの実行を開始の指示を行う必要があり、煩雑であった。
【０００５】
本発明はこのような事情に鑑みてなされたものであり、ユーザの操作性を向上させた画像処理装置、画像処理システム、制御方法及びそのプログラムを提供することを目的とする。
【課題を解決するための手段】
【０００６】
本発明はかかる課題を解決するためにされたものであり、外部装置と接続可能であり、少なくとも画像に関する第１の機能と第２の機能を実行可能な画像処理装置であって、前記外部装置が表示した前記画像処理装置を制御するための表示画面に対するユーザの操作に応じて、前記外部装置から、前記画像処理装置による前記第１の機能または前記第２の機能を選択する選択指示、及び前記第１の機能または前記第２の機能の実行指示を受信する受信手段と、前記画像処理装置に設けられ、ユーザが前記画像処理装置に対して処理の実行を指示するための指示手段と、前記第１の機能または前記第２の機能を実行する実行手段と、を備え、前記実行手段は、 前記受信手段により前記選択指示が受信されておらず、且つ前記指示手段に対する指示があった場合、前記第２の機能を実行せず且つ前記第１の機能を実行し、前記受信手段により前記選択指示が受信された場合、さらに、前記指示手段に対する指示があった場合と前記受信手段により前記実行指示が受信された場合のいずれであっても、前記選択指示により選択された機能を実行し、前記表示画面の表示が終了し、さらに前記指示手段に対する指示があった場合、前記第２の機能を実行せず且つ前記第１の機能を実行する。
【発明の効果】
【０００７】
本発明によれば、外部装置と画像処理装置のいずれからも画像処理装置に実行させる処理内容を設定することができる。これにより、ユーザの操作性を向上させることができる。
【図面の簡単な説明】
【０００８】
【図１】実施形態１に係る画像処理システムの構成を示す図である。
【図２】実施形態１に係る画像処理装置のユーザインタフェース部の構成を示す図である。
【図３】実施形態１に係る端末装置のユーザインタフェース部が画像処理装置に実行させる処理内容を選択させる選択画面を表示した状態を示す図である。
【図４】実施形態１に係る端末装置のユーザインタフェース部がスキャン画面を表示した状態を示す図である。
【図５】実施形態１に係る画像処理装置のＣＰＵで実行される動作を示すフローチャートである。
【発明を実施するための形態】
【０００９】
以下、本発明の実施の形態について詳細に説明する。
【００１０】
（実施形態１）
図１は、実施形態１の画像処理システムの構成例を示す図である。
【００１１】
画像処理システム１００は、画像処理装置１１０及び端末装置１２０を含むものであり、画像処理装置１１０と端末装置１２０は、有線又は無線のネットワーク１３０を介して接続されている。すなわち、端末装置１２０は、画像処理装置１１０の外部に設けられている。
【００１２】
画像処理装置１１０としては、例えば、ネットワークに接続可能な複写機、プリンタ、ファックスや、スキャナ機能、プリンタ機能、ファクシミリ機能等の複数の機能を備えた複合機（ＭＦＰ：Ｍｕｌｔｉ  Ｆｕｎｃｔｉｏｎ  Ｐｅｒｉｐｈｅｒａｌ装置）が挙げられる。本実施形態では、画像処理装置１１０として、複合機を例に挙げて説明する。
【００１３】
画像処理装置１１０は、装置全体を制御するＣＰＵ１１１、プログラム及びデータを記憶するＲＯＭ１１２、画像メモリなどの一時記憶領域などからなるＲＡＭ１１３を備えている。さらに、画像処理装置１１０は、読取部１１４と、記録部１１５、通信インタフェース部１１６、Ｗｅｂサーバ１１７、操作画面データ送信部１１８、及びユーザインタフェース部１１９を備えている。
【００１４】
ＲＯＭ１１２は、ＣＰＵ１１１の制御手順、処理手順等を示すプログラムを保持しており、ＲＡＭ１１３は、画像処理装置１１０の制御処理に必要な情報、作業領域等を保持している。ＣＰＵ１１１は、ＲＯＭ１１２及びＲＡＭ１１３に記憶された情報に従って動作することにより、画像処理装置１１０の全体を制御する。
【００１５】
読取部１１４は、画像の読み取りを行うものであり、記録部１１５は、画像の記録を行うものである。本実施形態の画像処理装置１１０は、読取部１１４及び記録部１１５を備えることにより、画像のコピー、画像のスキャン、画像のマルチクロップコピーの３つの機能を搭載している。なお、以下では、コピー機能は１枚の原稿の画像を読取部１１４で読み取り、記録部１１５で１枚以上の記録紙に記録することをいう。スキャン機能は、読取部１１４で読み取った原稿の画像を端末装置に送信することをいう。マルチクロップコピー機能とは、原稿台に置かれた複数枚の原稿を記録部１１５で読み取る際に、複数枚の原稿を自動的に検出し、原稿の枚数分の記録紙にそれぞれの原稿の画像を記録部１１５で記録させることをいう。
【００１６】
また、通信インタフェース部１１６は、画像処理装置１１０がネットワーク１３０を介して端末装置１２０と通信を行うことができるように構成されている。
【００１７】
Ｗｅｂサーバ１１７は、Ｗｅｂブラウザからの要求に応じて、ネットワーク１３０を介してＷｅｂページを送信する。また、Ｗｅｂサーバ１１７は、端末装置１２０のＷｅｂブラウザから、画像処理装置１１０に対する処理の実行の指示要求を受信する。
【００１８】
操作画面データ送信部１１８は、画像処理装置１１０を操作する操作画面のデータ（Ｗｅｂページ）を、Ｗｅｂブラウザからの操作画面データの要求に応じて送信する。
【００１９】
ユーザインタフェース部１１９は、ユーザが所定の指示の入力を行うことができ、また、各種情報を表示することができる。ユーザは、ユーザインタフェース部１１９を介して画像処理装置１１０に対する指示・設定を行う。なお、ユーザインタフェース部１１９の構成の詳細については後述する。
【００２０】
端末装置１２０は、Ｗｅｂブラウザを備え、画像処理装置１１０をネットワーク１３０を介して操作可能な装置であり、例えば、パーソナルコンピュータ（ＰＣ）、スマートフォン等の各種機器が挙げられる。Ｗｅｂブラウザは、汎用的なものを使用可能である。
【００２１】
端末装置１２０は、通信インタフェース部１２１と、Ｗｅｂブラウザ１２２と、を備えている。端末装置１２０は、さらに、Ｗｅｂブラウザ１２２の一機能として、操作画面データ要求部１２３と、ユーザインタフェース部１２４とを備えている。
【００２２】
通信インタフェース部１２１は、端末装置１２０がネットワーク１３０を介して画像処理装置１１０と通信を行うことができるように構成されている。
【００２３】
Ｗｅｂブラウザ１２２は、ネットワーククライアントであり、ネットワーク１３０を介して、操作画面データ等の所定のファイル（ＨＴＭＬファイル等のＷｅｂページ）をダウンロードして表示可能である。本実施形態では、操作画面データを表示して、操作画面データを介して画像処理装置１１０の機能の選択・設定をし、その内容をＷｅｂサーバ１１７に送信する機能を備えている。
【００２４】
操作画面データ要求部１２３は、画像処理装置１１０の操作画面データ送信部１１８に操作画面データの要求を行う。
【００２５】
ユーザインタフェース部１２４は、ユーザが所定の指示の入力を行うことができ、また、各種情報を表示することができる。ユーザは、ユーザインタフェース部１２４を介して端末装置１２０に対する指示・設定や画像処理装置１１０に対する指示・設定を行う。すなわち、詳細は後述するが、ユーザインタフェース部１２４を操作することにより、ユーザは、画像処理装置１１０の操作を指示・設定することができるように構成されている。
【００２６】
画像処理システム１００は、上述したように、Ｗｅｂサーバ１１７を備える画像処理装置１１０と、Ｗｅｂブラウザ１２２を備える端末装置１２０とを含むものであり、端末装置１２０により画像処理装置１１０を制御可能に構成されている。言い換えれば、画像処理システム１００において、画像処理装置１１０は、画像処理装置１１０自身の操作により制御することが可能であり、また、端末装置１２０からの操作により制御することも可能である。
【００２７】
具体的には、まず、通信インタフェース部１１６と通信インタフェース部１２１とがネットワークを介して接続されることにより、Ｗｅｂサーバ１１７とＷｅｂブラウザ１２２が通信を行うことができるようになる。そして、端末装置１２０の操作画面データ要求部１２３が画像処理装置１１０の操作画面データを要求すると、画像処理装置１１０の操作画像データ送信部１１８は、Ｗｅｂサーバ１１７を介して操作画面データをＷｅｂブラウザ１２２に送信する。Ｗｅｂブラウザ１２２に受信された操作画面データは、端末装置１２０のユーザインタフェース部１２４に表示される。ユーザは、ユーザインタフェース部１２４を操作することにより、画像処理装置１１０を制御する。
【００２８】
以下、画像処理装置１１０のユーザインタフェース部１１９を「本体ＵＩ」とし、操作画面データが表示されて画像処理装置１１０を制御可能な状態であるユーザインタフェース部１２４を「ＷｅｂＵＩ」とする。画像処理システム１００は、本体ＵＩを操作して画像処理装置１１０を操作することができるものであるが、さらに、ＷｅｂＵＩからも画像処理装置１１０を操作することが可能である。本実施形態では、ユーザは、本体ＵＩのみを操作することによってコピー機能を利用することができる。また、ＷｅｂＵＩのみ又はＷｅｂＵＩと本体ＵＩとを合わせて操作することによって、コピー機能、スキャン機能、マルチクロップコピー機能の３つの機能を利用することができる。
【００２９】
図２は、本実施形態における画像処理装置の本体ＵＩの構成例を示す図である。
【００３０】
図２に示す本体ＵＩ（ユーザインタフェース部１１９）は、上述したように、ユーザが画像処理装置１１０に所定の指示や設定を行うことができるように構成されている。本体ＵＩは、電源キー２０１と、ＬＥＤ表示部２０２と、部数設定キー２０３と、用紙設定キー２０４と、用紙設定ランプ２０５と、警告ランプ２０６と、ＷｅｂＵＩ連動ランプ２０７と、スタートキー２０８と、ストップ／リセットキー２０９と、を備えている。
【００３１】
電源キー２０１は、ユーザに押下されることにより、画像処理装置１１０の電源のオン、オフを切り替える。
【００３２】
ＬＥＤ表示部２０２は、ユーザに対して提供すべき所定の情報を表示する表示部である。ＬＥＤ表示部２０２は、例えば、印刷部数やエラーコード等の所定の情報を表示したり、画像処理装置１１０がスキャン処理やプリント処理を実行中である場合に処理実行中であることを表示したりする。
【００３３】
部数設定キー２０３は、ユーザが印刷部数を設定する設定部である。ユーザは、ＬＥＤ表示部２０２に表示される部数を確認しながら部数設定キー２０３を押下して、所望の部数に設定することができる。
【００３４】
用紙設定キー２０４は、ユーザが用紙の種類を設定する設定部である。また、用紙設定ランプ２０５は、設定されている用紙の種類に対応したランプを点灯させて、ユーザに現在記録部１１５による印刷に使用される用紙の種類を通知する。ユーザは、用紙設定ランプ２０５で現在の設定を確認しながら、用紙設定キー２０４を押下して、普通紙か写真用紙か等の各種用紙の種類を設定することができる。
【００３５】
警告ランプ２０６は、ユーザに対して警告を通知する手段である。本実施形態では、画像処理装置１１０でエラーが発生した際に警告ランプ２０６を点灯させることで、エラーが発生したことがユーザに通知される。
【００３６】
ＷｅｂＵＩ連動ランプ２０７は、ユーザに対して画像処理装置１１０とＷｅｂＵＩが連動しているか否かを通知する手段である。すなわち、ＷｅｂＵＩ連動ランプ２０７は、画像処理装置１１０が端末装置１２０からの指示要求に応じた所定の処理を実行可能な状態であるか否かを通知する手段である。本実施形態では、画像処理装置１１０がＷｅｂＵＩと連動している場合にＷｅｂＵＩ連動ランプ２０７を点灯させることで、画像処理装置１１０とＷＥｂＵＩが連動していることがユーザに通知される。
【００３７】
スタートキー２０８は、ユーザに押下されることにより、画像処理装置１１０にスキャン処理やプリント処理等の各種処理の開始を指示する。ストップ／リセットキー２０９は、ユーザにより押下されることにより、画像処理装置１１０の処理を途中で中止したり、部数設定や用紙設定などの設定を初期状態に戻したり、エラー状態を解除したりする。
【００３８】
図３は、本実施形態におけるＷｅｂＵＩにおける画像処理装置に実行させる処理内容を選択させる選択画面（機能選択画面）を示す図である。なお、上述したように、ＷｅｂＵＩは、画像処理装置１１０を制御可能なユーザインタフェース部１２４である。すなわち、ユーザインタフェース部１２４は、画像処理装置１１０の操作画面データが表示部３１０に表示されることにより、ＷｅｂＵＩとなる。
【００３９】
表示部３１０は、端末装置１２０の機能を利用するために各種情報の表示を行う。図３に示す表示部３１０は、タッチパネル方式であり、ユーザが表示部３１０に表示されたソフトウェアキーなどの各領域をタッチすることにより情報の入力が可能なものとしたが、これに限定されるものではない。本実施形態では、ＷｅｂＵＩは、図３に示す表示部３１０から構成されるものとしたが、例えば、表示部３１０とは別に情報を入力するためのハードウェアキーを備えていてもよい。
【００４０】
端末装置１２０でＷｅｂブラウザ１２２を起動すると、表示部３１０にはＷｅｂブラウザ表示画面３２０が表示される。このＷｅｂブラウザ表示画面３２０は、Ｗｅｂブラウザ終了キー３２１と、アドレスバー３２２と、ページ切替キー３２３と、Ｗｅｂページ表示部３２４と、タブ３２５と、タブ終了キー３２６と、を備えている。
【００４１】
Ｗｅｂブラウザ終了キー３２１は、ユーザにタッチされることにより、Ｗｅｂブラウザを終了させる。
【００４２】
アドレスバー３２２は、現在表示しているＷｅｂページのＵＲＬを表示する。
【００４３】
ページ切替キー３２３は、ユーザに押下されることにより、表示するページを切り替える。例えば、ユーザが直前に表示したＷｅｂページを再度表示したい場合などに使用される。
【００４４】
Ｗｅｂページ表示部３２４は、Ｗｅｂページの内容を表示するものであり、図３では、画像処理装置１１０の操作画面の一例として、機能選択画面３３０を表示している。
【００４５】
機能選択画面３３０は、アドレスバー３２２に画像処理装置１１０を特定する情報（画像処理装置１１０のＩＰアドレス等）を入力することにより、画像処理装置１１０から機能選択画面３３０に対応したＷｅｂページを取得することで表示される。機能選択画面３３０は、コピー機能選択キー３３１、スキャン機能選択キー３３２、マルチクロップコピー機能選択キー３３３の３つのソフトウェアキーを表示する。ユーザは、これらのうちいずれかをタッチすることで、画像処理装置１１０に処理させる機能を選択することができる。例えば、ユーザがコピー機能選択キー３３１を押下すると、画像処理装置１１０にコピー機能選択画面に対応したＷｅｂページの送信を要求し、これにより取得したＷｅｂページに基づき、Ｗｅｂページ表示部３２４にコピー画面が表示される。
【００４６】
また、図３では、Ｗｅｂブラウザとしてタブブラウザを例示しており、タブ３２５と、タブ終了キー３２６と、を備える。表示部３１０に現在表示しているＷｅｂページは、タブ終了キー３２６又はＷｅｂブラウザ終了キー３２１をタッチすることで閉じることができる。
【００４７】
図４は、本実施形態におけるＷｅｂＵＩのスキャン画面を示す図である。図４に示すスキャン画面４１０は、図３に示す機能選択画面３３０のスキャン機能選択キー３３２によりスキャン機能を選択した場合に表示される。スキャン機能選択キー３３２によりスキャン機能が選択されると、Ｗｅｂブラウザ１２２が画像処理装置１１０にスキャン機能選択画面に対応したＷｅｂページの送信を要求し、Ｗｅｂページを取得する。これにより、取得したＷｅｂページに基づき、Ｗｅｂブラウザ表示画面３２０のＷｅｂページ表示部３２４にスキャン画面が表示される。なお、図４の表示部３１０、Ｗｅｂブラウザ画面３２０、Ｗｅｂブラウザ終了キー３２１、アドレスバー３２２、ページ切替キー３２３、Ｗｅｂページ表示部３２４、タブ３２５、及びタブ終了キー３２６は、図３と同様であるので説明を省略する。
【００４８】
スキャン画面４１０は、スキャン設定部４１１と、スキャン開始キー４１５と、プレビュー画像表示部４１６と、ストップ／リセットキー４１７と、を備える。
【００４９】
スキャン設定部４１１は、スキャン処理に関する各種設定を行う部分であり、本実施形態では、読取サイズ設定部４１２と、データ形式設定部４１３と、解像度設定部４１４と、を備える。スキャン設定部４１１のこれらの各設定部では、それぞれプルダウンメニューをタッチすることにより設定を変更することができる。
【００５０】
スキャン開始キー４１５は、ユーザにタッチさせることによって、画像処理装置１１０にスキャン処理の開始を指示する。
【００５１】
プレビュー画像表示部４１６は、スキャン処理完了時に画像処理装置１１０がスキャンした画像を表示する。
【００５２】
ストップ／リセットキー４１７は、ユーザにタッチさせることによって、画像処理装置１１０にスキャン処理のストップ／リセットを指示する。
【００５３】
図３に示すようなＷｅｂＵＩにおいてスキャン機能が選択されると、図４に示すようにユーザインタフェース１２４の表示部３１０にスキャン画面４１０が表示される。そして、この表示部３１０にスキャン画面４１０が表示されている状態のときは、本体ＵＩのスタートキー２０８及びＷｅｂＵＩのスキャン開始キー４１５のいずれからでも画像処理装置１１０にスキャン処理の開始を指示することができる。なお、図４では、ＷｅｂＵＩのスキャン画面について説明したが、図３の機能選択画面３３０でコピー機能やマルチクロップコピー機能を選択した場合は、同様に、それぞれ、Ｗｅｂページ表示部３２４にコピー画面やマルチクロップコピー画面が表示される。そして、本体ＵＩのスタートキー２０８及びＷｅｂＵＩのスキャン開始キー４１５のいずれからでも画像処理装置１１０にコピー処理やマルチクロップコピー処理の開始を指示することができる。
【００５４】
ＷｅｂＵＩにおいて画像処理装置１１０が実行する機能が選択されて、図４に示すように、画像処理装置１１０に選択した機能の操作画面が表示されている状態のときは、ＷｅｂＵＩと本体ＵＩが連動するようにＣＰＵ１１１は画像処理装置１１０の制御を行う。したがって、ＷｅｂＵＩにおいて選択した機能（本実施形態では、スキャン機能）に応じて、本体ＵＩのスタートキー２０８に割り当てる機能（設定される機能）を変更する。これにより、ＷｅｂＵＩの操作中は、ＷｅｂＵＩと本体ＵＩのいずれからでも画像処理装置１１０に処理（本実施形態では、スキャン）の指示をすることができる。すなわち、ＷｅｂＵＩの操作中は、本体ＵＩとＷｅｂＵＩが連動することにより、画像処理装置１１０に対する指示手段として本体ＵＩとＷｅｂＵＩを併用することができる。
【００５５】
本実施形態では、ユーザは、ＷｅｂＵＩと本体ＵＩが連動しているか否かを本体ＵＩで確認することができる。具体的には、ＷｅｂＵＩと本体ＵＩが連動している場合は、図２に示すＷｅｂＵＩ連動ランプ２０７が点灯する。
【００５６】
Ｗｅｂブラウザ終了キー３２１をタッチすることにより、Ｗｅｂブラウザが閉じられた場合、あるいは、画像処理装置１１０の操作を行うためのＷｅｂページ以外のページに遷移した場合は、ＣＰＵ１１１はＷｅｂＵＩと本体ＵＩの連動を解除するように制御する。そして、本体ＵＩのスタートキー２０８に割り当てる機能をデフォルトの状態に戻すように制御する。これにより、画像処理装置１１０は、本実施形態において基本機能として設定されているコピー機能を使用することができる。
【００５７】
また、ＷｅｂＵＩと本体ＵＩが連動中であっても、画像処理装置１１０が選択した機能を実行しておらず、待機状態である場合は、本体ＵＩからの指示でＷｅｂＵＩと本体ＵＩの連動を解除することもできる。
【００５８】
図５は、本実施形態において、画像処理装置１１０において実行する機能を決定する際にＣＰＵ１１１で実行される処理の一例を示すフローチャートである。
【００５９】
最初に、画像処理装置１１０のユーザインタフェース部１１９の電源がＯＮとなったかどうかを判断する（Ｓ０５０１）。本実施形態では、電源キー２０１が押下されたかどうかを判断する。ユーザインタフェース部１１９の電源がＯＮであると判断した場合は、Ｓ５００２へ進む。一方、電源がＯＮされたと判断しなかった場合は、再度Ｓ０５０１を実行する。
【００６０】
Ｓ０５０２では、ＷｅｂＵＩ連動ランプ２０７をＯＦＦに設定する。その後に、端末装置１２０では、Ｗｅｂブラウザを立ち上げ画像処理装置１１０にアクセスすることで、操作画面データを表示させて画像処理装置１１０を制御可能な状態とする。これにより、ＣＰＵ１１１は、ユーザインタフェース部（本体ＵＩ）とＷｅｂブラウザ（ＷｅｂＵＩ）とを連動させる。ＷｅｂＵＩ連動ランプ２０７がＯＦＦの状態ではスタートキー２０８には、デフォルト設定であるコピー機能の実行指示が割り当てられる。すなわち、スタートキー２０８にコピー機能が設定される。
【００６１】
Ｓ０５０３では、ＷｅｂＵＩでスキャン機能が選択されたかどうかを判断する。本実施形態では、図３に示すＷｅｂＵＩの機能選択画面３３０でスキャン機能選択キー３３２がタッチされたことによって、スキャン機能のＷｅｂページの送信が要求されたかどうかを判断する。スキャン機能が選択されたと判断しなかった場合は、Ｓ０５０４へ進み、スキャン機能が選択されたと判断した場合は、Ｓ０５０９へ進む。
【００６２】
Ｓ０５０４では、ＷｅｂＵＩでマルチクロップコピー機能が選択されたかどうかを判断する。本実施形態では、ＷｅｂＵＩの機能選択画面３３０でマルチクロップコピー機能選択キー３３３がタッチされたことによって、マルチクロップコピー機能のＷｅｂページの送信が要求されたかどうかを判断する。マルチクロップコピー機能が選択されたと判断しなかった場合は、Ｓ０５０５へ進み、マルチクロップコピー機能が選択されたと判断した場合は、Ｓ０５１８へ進む。
【００６３】
Ｓ０５０５では、画像処理装置１１０のユーザインタフェース部１１９の電源がＯＦＦとされたかどうかを判断する。本実施形態では、Ｓ０５０１と同様に、電源キーが押下されたかどうかを判断する。電源キーが押下されたと判断しなかった場合は、Ｓ０５０６へ進み、電源キーが押下されたと判断した場合は処理を終了する。
【００６４】
Ｓ０５０６では、本体ＵＩでコピー機能の処理開始が指示されたかどうかを判断する。本実施形態では、本体ＵＩでスタートキー２０８が押下されたかどうかを判断する。スタートキー２０８が押下されたと判断した場合は、Ｓ０５０８へ進み、コピー機能のスキャン処理を開始（コピー処理を実行）する。一方、スタートキー２０８が押下されたと判断しなかった場合は、Ｓ０５０７へ進む。
【００６５】
Ｓ０５０７では、ＷｅｂＵＩでコピー機能のスキャン処理開始が指示されたかどうかを判断する。コピー機能のスキャン処理開始が指示されたと判断した場合はＳ０５０８へ進み、コピー機能のスキャン処理を開始する。一方、コピー機能のスキャン処理開始が指示されたと判断しなかった場合はＳ０５０３へ進む。
【００６６】
Ｓ０５０８でコピー機能のスキャン処理を開始した後は、Ｓ０５０３へ進む。
【００６７】
Ｓ０５０９では、ＷｅｂＵＩ連動ランプ２０７をＯＮに設定する。これにより、ユーザは、本体ＵＩにおいて、ＷｅｂＵＩと本体ＵＩが連動していることを確認することができる。また、ここでスタートキー２０８にスキャン機能によるスキャン開始指示が割り当てられる。すなわち、スタートキー２０８にスキャン機能が設定される。Ｓ０５０９を実行した後は、Ｓ０５１０へ進む。
【００６８】
Ｓ０５１０では、Ｓ０５０４と同様に、ＷｅｂＵＩでマルチクロップコピー機能が選択されたかどうかを判断する。マルチクロップコピー機能が選択されたと判断しなかった場合は、Ｓ０５１１へ進む。一方、マルチクロップコピー機能が選択されたと判断した場合は、Ｓ０５１８へ進む。
【００６９】
Ｓ０５１１では、ＷｅｂＵＩでコピー機能が選択されたかどうかを判断する。本実施形態では、図３に示すＷｅｂＵＩの機能選択画面３３０でコピー機能選択キー３３１がタッチされたことによって、コピー機能のＷｅｂページの送信が要求されたかどうかで判断する。コピー機能が選択されたと判断しなかった場合はＳ０５１２へ進む。一方、コピー機能が選択されたと判断した場合は、スタートキー２０８にコピー機能によるコピー開始指示が割り当てられ、Ｓ０５０２へ進む。
【００７０】
Ｓ０５１２では、ＷｅｂＵＩの操作画面が閉じられたかどうかを判断する。本実施形態では、図３に示すＷｅｂＵＩで画像処理装置の操作画面に対応するタブ３２５のタブ終了キー３２６又はＷｅｂブラウザ終了キー３２１がタッチされたかどうかで判断する。ＷｅｂＵＩの操作画面が閉じられたと判断しなかった場合は、Ｓ０５１３へ進む。一方、ＷｅｂＵＩの操作画面が閉じられたと判断した場合は、Ｓ０５０２へ進み、初期状態に戻る。
【００７１】
Ｓ０５１３では、本体ＵＩが待機状態で且つストップ／リセットキー２０９が押下されたかどうかを判断する。本実施形態では、ＷｅｂＵＩにより設定された処理を開始しておらず、ＬＥＤ表示部２０２に処理中を示す表示がされていなければ、本体ＵＩが待機状態であると判断する。本体ＵＩ待機状態でストップ／リセットキー２０９が押下されたと判断しなかった場合は、Ｓ０５１４へ進む。一方、本体ＵＩ待機状態でストップ／リセットキー２０９が押下されたと判断した場合は、Ｓ０５０２へ進み、初期状態に戻る。
【００７２】
Ｓ０５１４では、画像処理装置１１０のユーザインタフェース部１１９の電源がＯＦＦとされたかどうかを判断する。本実施形態では、Ｓ０５０１と同様に、電源キー２０１が押下されたかどうかを判断する。電源キー２０１が押下されたと判断しなかった場合は、Ｓ０５１５へ進む。一方、電源キーが押下されたと判断した場合は処理を終了する。
【００７３】
Ｓ０５１５では、本体ＵＩでスキャン機能の処理開始が指示されたかどうかを判断する。本実施形態では、Ｓ０５０６と同様に、本体ＵＩでスタートキー２０８が押下されたかどうかを判断する。スタートキー２０８が押下されたと判断した場合は、Ｓ０５１７へ進み、スキャン機能のスキャン処理を開始（スキャン処理を実行）する。一方、スタートキー２０８が押下されたと判断しなかった場合は、Ｓ０５１６へ進む。
【００７４】
Ｓ０５１６では、ＷｅｂＵＩでスキャン機能のスキャン処理開始が指示されたかどうかを判断する。本実施形態では、ＷｅｂＵＩのスキャン画面４１０でスキャン開始キー４１５がタッチされたかどうかで判断する。スキャン機能のスキャン処理開始が指示されたと判断した場合はＳ０５１７へ進み、スキャン機能のスキャン処理を開始する。一方、キャン機能のスキャン処理開始が指示されたと判断しなかった場合はＳ０５１０へ進む。
【００７５】
Ｓ０５１７でスキャン機能のスキャン処理を開始した後は、Ｓ０５１０へ進む。
【００７６】
Ｓ０５１８では、ＷｅｂＵＩ連動ランプ２０７をＯＮに設定する。これにより、ユーザは、本体ＵＩにおいて、ＷｅｂＵＩと本体ＵＩが連動していることを確認することができる。また、ここでスタートキー２０８にマルチクロップコピー機能によるマルチクロップコピー開始指示が割り当てられる。すなわち、スタートキー２０８にマルチクロップコピー機能が設定される。Ｓ０５１８を実行した後は、Ｓ０５１９へ進む。
【００７７】
Ｓ０５１９では、Ｓ０５０３と同様に、ＷｅｂＵＩでスキャン機能が選択されたかどうかを判断する。スキャン機能が選択されたと判断しなかった場合は、Ｓ０５２０へ進む。一方、スキャン機能が選択されたと判断した場合はＳ０５０９へ進む。
【００７８】
Ｓ０５２０では、Ｓ０５１１と同様に、ＷｅｂＵＩでコピー機能が選択されたかどうかを判断する。コピー機能が選択されたと判断しなかった場合は、Ｓ０５２１へ進む。一方、コピー機能が選択されたと判断した場合は、スタートキー２０８にコピー機能によるコピー開始指示が割り当てられ、Ｓ０５０２へ進む。
【００７９】
Ｓ０５２１では、Ｓ０５１２と同様に、ＷｅｂＵＩの操作画面が閉じられたかどうかを判断する。本実施形態では、図３に示すＷｅｂＵＩで画像処理装置の操作画面に対応するタブ３２５のタブ終了キー３２６又はＷｅｂブラウザ終了キー３２１がタッチされたかどうかで判断する。操作画面が閉じられたと判断しなかった場合は、Ｓ０５２２へ進む。一方、操作画面が閉じられたと判断した場合は、Ｓ０５０２へ進む。
【００８０】
Ｓ０５２２では、Ｓ０５１３と同様に、本体ＵＩが待機状態で且つストップ／リセットキー２０９が押下されたかどうかを判断する。本体ＵＩ待機状態でストップ／リセットキー２０９が押下されたと判断しなかった場合は、Ｓ０５２３へ進む。一方、本体ＵＩ待機状態でストップ／リセットキー２０９が押下されたと判断した場合は、Ｓ０５０２へ進む。
【００８１】
Ｓ０５２３では、画像処理装置１１０のユーザインタフェース部１１９の電源がＯＦＦとされたかどうかを判断する。本実施形態では、Ｓ０５０１と同様に、電源キー２０１が押下されたかどうかを判断する。電源キーが押下されたと判断しなかった場合は、Ｓ０５２４へ進む。一方、電源キー２０１が押下されたと判断した場合は処理を終了する。
【００８２】
Ｓ０５２４では、本体ＵＩでマルチクロップコピー機能の処理開始が指示されたかどうかを判断する。本実施形態では、Ｓ０５０６と同様に、本体ＵＩでスタートキー２０８が押下されたかどうかを判断する。スタートキー２０８が押下されたと判断した場合は、Ｓ０５２６へ進み、スタートキー２０８が押下されたと判断しなかった場合は、Ｓ０５２５へ進む。
【００８３】
Ｓ０５２５では、ＷｅｂＵＩでマルチクロップコピー機能のスキャン処理開始が指示されたかどうかを判断する。マルチクロップコピー機能のスキャン処理開始が指示されたと判断した場合はＳ０５２６へ進み、指示されたと判断しなかった場合はＳ０５１９へ進む。
【００８４】
Ｓ０５２６でマルチクロップコピー機能のスキャン処理を開始（マルチクロップコピー処理を実行）した後は、Ｓ０５１９へ進む。
【００８５】
以上のように制御することによって、本実施形態では、ＷｅｂＵＩの操作状況に基づいて本体ＵＩのスタートキー２０８が押下された際に実行する処理を決定するので、ユーザは、本体ＵＩとＷｅｂＵＩのいずれからでも処理の開始を指示することができる。すなわち、本実施形態では、ＷｅｂＵＩによる指示に応じて本体ＵＩのスタートキー２０８により実行する処理内容を変更するので、本体ＵＩのスタートキー２０８の押下及びＷｅｂＵＩの動作開始指示のいずれからでも設定した処理内容の実行開始が可能である。
【００８６】
また、ユーザは、ＷｅｂＵＩの操作画面を閉じることによって、本体ＵＩのスタートキー２０８が押下された際に実行する処理を、操作画面を開く前の状態（デフォルトの状態）に戻すことができる。
【００８７】
ユーザは、本体ＵＩが待機状態でストップ／リセットキー２０９を押下することによって、本体ＵＩのスタートキー２０８が押下された際に実行する処理を、操作画面を開く前の状態に戻すことができる。
【００８８】
上述したように、ＷｅｂＵＩの操作状況に応じて、本体ＵＩとＷｅｂＵＩとを連動させることにより、本体ＵＩとＷｅｂＵＩを併用することができ、ユーザの操作性を向上させることができる。
【００８９】
従来のように、本体ＵＩ又はＷｅｂＵＩのいずれか一方でのみ画像処理装置を制御することができる構成とした場合、ユーザが画像形成装置と端末装置の間を行き来する必要がある。例えば、ＷｅｂＵＩから画像処理装置にスキャン機能の実行を指示する場合、ＷｅｂＵＩでスキャン機能の選択・設定を行った後に、画像処理装置の原稿台に原稿をセットし、再びＷｅｂＵＩで開始を指示することになる。これに対し、本実施形態では、ＷｅｂＵＩと本体ＵＩが連動しているので、ＷｅｂＵＩでスキャン機能の選択・設定を行った後であっても、スキャン開始の指示は、ＷｅｂＵＩからだけでなく原稿台の近くに位置する本体ＵＩからも実行することができる。したがって、ユーザの操作性に優れる。
【００９０】
本実施形態では、画像処理装置１１０がＷｅｂＵＩで操作するためのコンテンツを提供し、画像処理装置１１０の操作を一元管理するので、ユーザインタフェース部１１９のスタートキーに対する機能の割り当てを切替え制御するのが容易である。
【００９１】
本実施形態では、端末装置１２０が有するＷｅｂブラウザ１２２を利用させるので、画像処理装置１１０が提供すべきリソースを最小限にすることができる。したがって、ＲＯＭ１１２やＲＡＭ１１３の使用可能領域を確保することができる。また、画像処理装置１１０本体のユーザインターフェース（本体ＵＩ）を使って複数の機能の操作を行う必要がなく、ハードウェアキー等の操作部を増やす必要がない。すなわち、画像処理装置１１０側は、少ないハードウェアキー等の操作部としても、ユーザは多くの機能を容易に操作することができる。したがって、本実施形態のように、液晶ディスプレイ等を搭載していない複合機（画像処理装置１１０）であっても、端末装置１２０によりユーザは容易に操作することができる。端末装置１２０のＷｅｂブラウザの表示画面のサイズによっては、操作性をより向上させることができる。
【００９２】
（他の実施形態）
以上、本発明の各実施形態を説明したが、本発明の基本的構成は上述したものに限定されるものではない。
【００９３】
図５では、画像処理装置１１０のデフォルト機能がコピー機能に設定されている場合について説明したが、これに限定されるものではなく、勿論、デフォルトの機能として他の機能を設定してもよい。
【００９４】
また、図５に示すＣＰＵ１１１の処理方法は一例であり、ＣＰＵ１１１の処理方法はこれに限定されるものではない。例えば、Ｓ５０３〜Ｓ５０５の順、Ｓ０５１０〜Ｓ０５１４の順、Ｓ０５１９〜Ｓ０５２３の順は特に限定されるものではない。また、Ｓ０５０６とＳ０５０７は逆であってもよく、同様に、Ｓ０５１５とＳ０５１６の順は逆であってもよく、Ｓ０５２４とＳ０５２５の順は逆であってもよい。
【００９５】
実施形態１では、画像処理装置１１０が、コピー機能、スキャン機能、マルチクロップコピー機能の３つの機能を備えるものとしたが、これに限定されるものではない。画像処理装置１１０は、例えば、他の機能をさらに備えるものであってもよく、また、１の機能のみを備えるものであってもよい。
【００９６】
実施形態１では、スキャン機能及びマルチクロップコピー機能使用中のみＷｅｂＵＩ連動ランプ２０７をＯＮに設定するようにしたが、コピー機能使用中であってもＷｅｂＵＩの操作画面が表示されている間はＷｅｂＵＩ連動ランプ２０７をＯＮに設定するようにしてもよい。
【００９７】
また、実施形態１では、ＷｅｂＵＩの操作状況に基づいて、本体ＵＩのスタートキー２０８が押下された際に実行する処理を決定しているが、スタートキー以外のキーを代わりに用いて実行する処理を決定するようにしもよい。例えば、画像処理装置１１０単体で動作する組込機能を持たない単機能プリンタで、本体ＵＩにスタートキーがない構成の場合には、エラー状態の解除などに使用するリセットキーをスタートキーの代わりにＷｅｂＵＩからの指示に基づく処理内容の実行キーとして用いてもよい。
【００９８】
実施形態１では、ＷｅｂＵＩが閉じられた場合に、すなわち、ＷｅｂＵＩと本体ＵＩの連動が解除された後に、本体ＵＩのスタートキー２０８に割り当てる機能をデフォルトの状態に戻すように制御したが、これに限定されるものではない。例えば、ＷｅｂＵＩと本体ＵＩの連動が解除された後に、設定された処理内容（例えば、スキャン機能使用）に従って処理を実行又は処理内容のキャンセルをした後に、デフォルトの状態に戻すように制御してもよい。
【００９９】
実施形態１では、画像処理装置１１０において、画像処理装置１１０の機能選択ができない場合、すなわち、インタフェース部１１９において機能選択できない場合について説明したが、勿論、画素処理装置１１０側でも機能選択ができるようにしてもよい。なお、画像処理装置１１０側でも機能選択ができる場合は、本体ＵＩで指示した内容はＷｅｂＵＩ側に通知し、ＷｅｂＵＩで指示した内容は本体ＵＩ側に通知するようにすればよい。例えば、Ｗｅｂブラウザ表示画面３２０においてスキャン画面４１０が表示されている際に、本体ＵＩにおいてコピー機能の設定が指示された場合は、Ｗｅｂブラウザ表示画面３２０の画面をコピー機能の指示画面に切り替えるようにすればよい。この構成によれば、例えば、本体ＵＩにおいて画像処理装置１１０に実行させる処理内容を設定し、開始指示のみをＷｅｂＵＩで行うこともできる。
【０１００】
実施形態１では、本体ＵＩで画像処理装置１１０を操作する際のスタートキー２０８には、デフォルト設定としてコピー機能の実行指示を割り当てるようにしたが、これに限定されるものではない。例えば、本体ＵＩで機能選択ができる場合は、本体ＵＩ側で選んだ機能をスタートキー２０８に割り当てるようにしてもよい。
【０１０１】
また、実施形態１では、本体ＵＩとＷｅｂＵＩを連動させて、本体ＵＩ及びＷｅｂＵＩのいずれにおいても、選択した機能の実行開始指示、選択した機能のストップ／リセットができるものとしたが、これに限定されるものではない。例えば、複数の端末装置１２０が存在し、それぞれが画像処理装置１１０の操作可能である場合、一の端末装置１２０のＷｅｂＵＩの使用中は、画像処理装置１１０のストップ／リセットキー２０９の押下を無効とするように設定してもよい。すなわち、画像処理装置１１０のスタートキー２０８の押下は有効とするが、画像処理装置１１０のストップ／リセットキー２０９による操作のストップ／リセットは禁止するように設定してもよい。このような構成とすることにより、複数のユーザが一の画像処理装置１１０を共有する場合に、他のユーザにより画像処理装置１１０の操作をストップやリセットされるのを防止することができる。また、このとき、本体ＵＩに「ＷｅｂＵＩから設定中」等の表示をすることにより、ユーザにＷｅｂＵＩから設定をしていることを通知するようにしてもよい。
【０１０２】
実施形態１では、画像処理装置１１０及び端末装置１２０がネットワークを介して接続する画像処理システムを例に挙げて本発明について説明したが、これに限定されるものではない。例えば、画像処理装置と端末装置がローカルインターフェース経由で接続するものであってもよく、近距離無線通信により接続するものであってもよい。
【０１０３】
実施形態１では、端末装置１２０がＷｅｂＵＩにより画像処理装置１１０を制御できるように構成したが、これに限定されるものではない。例えば、ＷｅｂＵＩの代わりに画像処理装置１１０の制御用プログラムを含むアプリケーションを使って画像処理装置１１０を制御できるように構成してもよい。
【０１０４】
また、本実施形態は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、一部または全部をハードウェアによって実現するようにしてもよい。
【符号の説明】
【０１０５】
１００  画像処理システム
１１０  画像処理装置
１１１  ＣＰＵ
１１２  ＲＯＭ
１１３  ＲＡＭ
１１４  読取部
１１５  記録部
１１６  通信インタフェース部
１１７  Ｗｅｂサーバ
１１８  操作画面データ送信部
１１９  ユーザインタフェース部
１２０  端末装置
１２１  通信インタフェース部
１２２  Ｗｅｂブラウザ
１２３  操作画面データ要求部
１２４  ユーザインタフェース部
１３０  ネットワーク
【図１】
0006012268.tif 000002
【図２】
0006012268.tif 000003
【図３】
0006012268.tif 000004
【図４】
0006012268.tif 000005
【図５】
0006012268.tif 000006